(57)【要約】【課題】パネル内部に不純ガスが部分的に残留することを防止して，パネル全体を均一に排気することが可能なプラズマディスプレイパネルを提供すること【解決手段】  本発明のプラズマディスプレイパネルは，互いに対向配置される第１基板及び第２基板と，第１基板と第２基板との間に，一方向に延長形成されるアドレス電極２１と，このアドレス電極方向と交差する方向に延長形成される表示電極１７と，第１基板と第２基板との間の空間を，複数の放電セル２３に区画する隔壁１７と；各放電セル２３内に形成される蛍光体層とを備える。さらに，一側対角方向に相隣接する放電セル２３間に，排気通路１８が形成されており，この複数の排気通路１８及び複数の放電セル２３を，アドレス電極方向に沿って，予め設定されたピッチだけ離脱して復帰することを繰り返すようなジグザグ型のラインで連通させて構成された排気経路Ｃ１を有する。【選択図】  図１
2005347257.tif 000002
【特許請求の範囲】
【請求項１】
互いに対向配置される第１基板及び第２基板と；
前記第１基板と第２基板との間に，一方向に延長形成されるアドレス電極と；
前記第１基板と第２基板との間に，前記アドレス電極方向と交差する方向に延長形成される表示電極と；
前記第１基板と前記第２基板との間の空間を，複数の放電セルに区画する隔壁と；
前記各放電セル内に形成される蛍光体層と；
を備え，
一側対角方向に相隣接する放電セル間に，排気通路が形成されており，
複数の前記排気通路及び複数の前記放電セルを，前記アドレス電極方向に沿って，予め設定されたピッチだけ離脱して復帰することを繰り返すようなジグザグ型のラインで連通させて構成された排気経路を有することを特徴とする，プラズマディスプレイパネル。
【請求項２】
前記隔壁は，
前記アドレス電極と平行な方向に形成された第１隔壁部材と，
前記アドレス電極と交差する方向に形成され，前記第１隔壁部材と連結されて前記各放電セルを独立的に区画する第２隔壁部材と，
を含み，
前記排気通路は，前記第２隔壁部材に形成されることを特徴とする，請求項１に記載のプラズマディスプレイパネル。
【請求項３】
前記第２隔壁部材に形成される前記排気通路は，溝形状で形成されることを特徴とする，請求項２に記載のプラズマディスプレイパネル。
【請求項４】
前記排気経路が１副画素ピッチだけ離脱して復帰することを繰り返すように，前記排気通路が形成されることを特徴とする，請求項１〜３のいずれかに記載のプラズマディスプレイパネル。
【請求項５】
前記排気経路が副画素ピッチの倍数だけ離脱して復帰することを繰り返すように，前記排気通路が形成されることを特徴とする，請求項１〜３のいずれかに記載のプラズマディスプレイパネル。
【請求項６】
対角方向に相隣接した前記放電セルの間に，非放電領域が形成されており，
前記排気経路が前記非放電領域を通るように，前記排気通路が形成されることを特徴とする，請求項１〜５のいずれかに記載のプラズマディスプレイパネル。
【請求項７】
前記放電セルの幅方向に隣接して配列された複数の前記放電セルである放電セル行が，前記放電セルの長さ方向に複数行配列されており，
１つの画素を構成する赤（Ｒ），緑（Ｇ）及び青（Ｂ）色の副画素の放電セルが，前記各放電セル行において，前記放電セルの幅方向に隣接して配列されることを特徴とする，請求項１〜６のいずれかに記載のプラズマディスプレイパネル。
【請求項８】
１つの画素を構成する赤（Ｒ），緑（Ｇ）及び青（Ｂ）色の副画素の放電セルが，略三角形状をなすように配列されることを特徴とする，請求項１〜６のいずれかに記載のプラズマディスプレイパネル。
【請求項９】
前記排気経路が副画素ピッチの２分の１だけ離脱して復帰することを繰り返すように，前記排気通路が形成されることを特徴とする，請求項８に記載のプラズマディスプレイパネル。
【請求項１０】
前記排気経路が副画素ピッチの２分の１の倍数だけ離脱して復帰することを繰り返すように，前記排気通路が形成されることを特徴とする，請求項８に記載のプラズマディスプレイパネル。
【請求項１１】
互いに対向配置される第１基板及び第２基板と；
前記第１基板と第２基板との間に，一方向に延長形成されるアドレス電極と；
前記第１基板と第２基板との間に，前記アドレス電極方向と交差する方向に延長形成される表示電極と；
前記第１基板と前記第２基板との間の空間を，複数の放電セルに区画する隔壁と；
前記各放電セル内に形成される蛍光体層と；
を備え，
対角方向に相隣接する前記放電セル間を連通する通路を形成するように，前記隔壁が形成されることを特徴とする，プラズマディスプレイパネル。
【請求項１２】
前記放電セルは，
第１対角方向に隣接した放電セルとは，前記通路を介して連通されており，
前記第１対角方向と交差する第２対角方向に隣接した放電セルとは，連通していないことを特徴とする，請求項１１に記載のプラズマディスプレイパネル。
【請求項１３】
前記通路を形成する隔壁は，前記放電セルを形成する隔壁と略同一の高さで形成され，
前記通路は，前記隔壁の高さより低く形成されることを特徴とする，請求項１１または１２に記載のプラズマディスプレイパネル。
【請求項１４】
前記隔壁は，
前記アドレス電極の延長方向と平行な方向に形成される第１隔壁部材と，
前記アドレス電極の延長方向と交差する方向に形成される第２隔壁部材と，
対角方向に前記通路を形成する通路隔壁部材と，
を含み，
第１放電セルの第１隔壁部材と，対角方向に相隣接して連通する第２放電セルの第２隔壁部材とは，前記通路隔壁部材を介して相互に連結されて一体形成されていることを特徴とする，請求項１１〜１３のいずれかに記載のプラズマディスプレイパネル。
【請求項１５】
前記隔壁は，
前記アドレス電極の延長方向と平行な方向に形成された第１隔壁部材と，
前記アドレス電極の延長方向と交差する方向に形成された第２隔壁部材と，
を含み，
前記第１隔壁部材と前記第２隔壁部材は，相互に交差するように一体形成されて，前記放電セルを区画しており，
前記第１隔壁部材と前記第２隔壁部材の交差部に，対角方向に相隣接した一対の放電セルを連通する通路溝が，前記通路として形成されることを特徴とする，請求項１１〜１３のいずれかに記載のプラズマディスプレイパネル。
【発明の詳細な説明】
【技術分野】
【０００１】
本発明は，プラズマディスプレイパネルに関し，特に，パネル製造工程中の封着排気過程における排気効率を向上させた隔壁構造を有するプラズマディスプレイパネルに関する。
【背景技術】
【０００２】
一般にプラズマディスプレイパネル（以下，「ＰＤＰ」という。）は，気体放電によって得られたプラズマから放射される真空紫外線（ＶＵＶ）が蛍光体を励起させることによって発生する赤（Ｒ），緑（Ｇ），青（Ｂ）の可視光を利用して，映像を実現するディスプレイ素子である。このようなＰＤＰは，６０インチ以上の超大型画面を，僅か１０ｃｍ以内の厚さで実現することができ，また，ＣＲＴのように自発光ディスプレイ素子であるため色再現力及び視野角による歪曲現象がないという特性を有し，さらに，ＬＣＤなどに比べて製造工法が単純であるために，生産性及び原価の側面でも長所を有しており，テレビジョン受像器及び産業用平板ディスプレイとして脚光を浴びている。
【０００３】
図７は，従来の一般的な閉鎖型隔壁構造を有するＡＣ−ＰＤＰを示した部分分解斜視図である。
【０００４】
図７に示すように，従来のＰＤＰは，背面基板１１２と，背面基板１１２上に形成されたアドレス電極１１５と，このアドレス電極１１５が形成された背面基板１１２上に形成された誘電層１２０と，この誘電層１２０の上部に形成され，放電距離を維持させ，セル間のクロストルクを防止する複数の隔壁１１７と，隔壁１１７で囲まれた放電セル１１９内に形成された蛍光体層１１８と，を含む。特に，上記ＰＤＰでは，隔壁１１７が，アドレス電極１１５と垂直に交差する複数の横隔壁１１７ｂと，上記横隔壁１１７ｂと垂直に交差する縦隔壁１１７ａとから構成されている。このような閉鎖型隔壁構造は，アドレス電極方向にのみ複数の隔壁が形成されている従来の帯状型隔壁構造に比べて，横隔壁１１７ｂをさらに活用し，放電セル１１９内に蛍光体塗布面的を広め，放電セル１１９内でプラズマ放電により発生する紫外線がさらに効率的に蛍光体を励起させることによって，放電特性を向上させたものである。また，閉鎖型隔壁構造は，単純帯状型隔壁構造に比べて各セル間に網目のような連結輪を形成しているので，高精細に有利である。
【０００５】
一方，放電維持電極１１３，１１４は，一つの放電セル１１９に対して一対の放電維持電極１１３，１１４が配置されるように前面基板１１１に形成される。この放電維持電極１１３，１１４は，上記背面基板１１２に形成されたアドレス電極１１５に対して所定間隔離隔して直交する方向に延設されている。さらに，誘電層１２１及び保護膜１２３が，順次，上記放電維持電極１１３，１１４を覆っている。
【０００６】
前述した構成のＰＤＰにおいて，前面基板１１１と背面基板１１２は，フリット等の密封材により周縁が接合されて，一つのパネルを構成し，放電セル１１９が形成されていない非表示領域上のある一つの基板，例えば背面基板１１２に，排気口が形成されて，排気と放電ガスの注入が可能となっている。
【０００７】
排気工程を具体的に説明すれば，通常の排気過程は，排気口を排気装置と連通させて，パネル内部をほぼ１０−７Ｔｏｒｒまで排気させる１次排気段階と，上記排気口を通じてパネル内部にパージガス（例えば，Ｎｅガス）を注入した後，再び排気してパネル内部の不純物を除去するパージ段階とを含んで成る。
【発明の開示】
【発明が解決しようとする課題】
【０００８】
ところが，上述したように閉鎖型隔壁構造を有するＰＤＰでは，隔壁が放電セルを四方で覆う形態になるので，パージガスを排気する時にガスの流動が良好でないため，ＰＤＰ内部に不純ガスが残る。このようにガスの流動が良好でないために，ＰＤＰ内部に不純ガスが残存すると，放電ガス注入後，ＰＤＰを駆動する時に不良放電が起こることがある。このような不良放電は，放電染みの形態でＰＤＰ画面の複数ヶ所に現れたり，点や線の形態で現れたりして，画像品質を深刻に低下させるという問題があった。
【０００９】
したがって，閉鎖型隔壁構造の長所を維持しつつ，不純ガス残留による放電不良率を低減することができるように排気効率が向上された隔壁構造が要求されていた。
【００１０】
そこで，本発明の目的は，パネルの排気工程時に，パネル内部に不純ガスが部分的に残留することを防止して，パネル全体を均一に排気することが可能な，新規かつ改良されたプラズマディスプレイパネルを提供することにある。
【課題を解決するための手段】
【００１１】
上記課題を解決するために，本発明のある観点によれば，互いに対向配置される第１基板及び第２基板と；第１基板と第２基板との間に，一方向に延長形成されるアドレス電極と；第１基板と第２基板との間に，アドレス電極方向と交差する方向に延長形成される表示電極と；第１基板と第２基板との間の空間を，複数の放電セルに区画する隔壁と；各放電セル内に形成される蛍光体層と；を備え，一側対角方向に相隣接する放電セル間に，排気通路が形成されており，複数の排気通路及び複数の放電セルを，アドレス電極方向に沿って，予め設定されたピッチだけ離脱して復帰することを繰り返すようなジグザグ型のラインで連通させて構成された排気経路を有することを特徴とする，プラズマディスプレイパネルが提供される。
【００１２】
なお，上記放電セルは，アドレス電極方向及び上記表示電極方向に（即ち，縦横に）規則的に配列される。対角方向とは，複数の放電セルが縦横に規則的に配列されたときに，放電セルが相互に斜め方向に隣接する方向である。また，一側対角方向とは，２つの対角方向（斜め方向）のうち，いずれか一方の対角方向である。
【００１３】
また，上記隔壁は，アドレス電極と平行な方向に形成された第１隔壁部材と，アドレス電極と交差する方向に形成され，第１隔壁部材と連結されて各放電セルを独立的に区画する第２隔壁部材と，を含み，上記排気通路は，第２隔壁部材に形成されるようにしてもよい。
【００１４】
また，上記第２隔壁部材に形成される排気通路は，溝形状で形成されるようにしてもよい。
【００１５】
また，上記排気経路が１副画素ピッチだけ離脱して復帰することを繰り返すように，上記排気通路が形成されるようにしてもよい。
【００１６】
また，上記排気経路が副画素ピッチの倍数だけ離脱して復帰することを繰り返すように，上記排気通路が形成されるようにしてもよい。
【００１７】
また，対角方向に相隣接した放電セルの間に，非放電領域が形成されており，上記排気経路が非放電領域を通るように，上記排気通路が形成されるようにしてもよい。
【００１８】
また，上記放電セルの幅方向に隣接して配列された複数の放電セルである放電セル行が，放電セルの長さ方向に複数行配列されており，１つの画素を構成する赤（Ｒ），緑（Ｇ）及び青（Ｂ）色の副画素の放電セルが，各放電セル行において，放電セルの幅方向に隣接して配列されるようにしてもよい。
【００１９】
また，１つの画素を構成する赤（Ｒ），緑（Ｇ）及び青（Ｂ）色の副画素の放電セルが，略三角形状をなすように配列されるようにしてもよい。
【００２０】
また，上記排気経路が副画素ピッチの２分の１だけ離脱して復帰することを繰り返すように，排気通路が形成されるようにしてもよい。
【００２１】
また，上記排気経路が副画素ピッチの２分の１の倍数だけ離脱して復帰することを繰り返すように，排気通路が形成されるようにしてもよい。
【００２２】
また，上記課題を解決するために，本発明の別の観点によれば，互いに対向配置される第１基板及び第２基板と；第１基板と第２基板との間に，一方向に延長形成されるアドレス電極と；第１基板と第２基板との間に，アドレス電極方向と交差する方向に延長形成される表示電極と；第１基板と第２基板との間の空間を，複数の放電セルに区画する隔壁と；各放電セル内に形成される蛍光体層と；を備え，対角方向に相隣接する放電セル間を連通する通路を形成するように，上記隔壁が形成されることを特徴とする，プラズマディスプレイパネルが提供される。
【００２３】
また，上記放電セルは，第１対角方向に隣接した放電セルとは，通路を介して連通されており，第１対角方向と交差する第２対角方向に隣接した放電セルとは，連通していないようにしてもよい。
【００２４】
また，上記通路を形成する隔壁は，放電セルを形成する隔壁と略同一の高さで形成され，上記通路は，隔壁の高さより低く形成されるようにしてもよい。
【００２５】
また，上記隔壁は，アドレス電極の延長方向と平行な方向に形成される第１隔壁部材と，アドレス電極の延長方向と交差する方向に形成される第２隔壁部材と，対角方向に通路を形成する通路隔壁部材と，を含み，第１放電セルの第１隔壁部材と，対角方向に相隣接して連通する第２放電セルの第２隔壁部材とは，通路隔壁部材を介して相互に連結されて一体形成されているようにしてもよい。
【００２６】
また，上記隔壁は，アドレス電極の延長方向と平行な方向に形成された第１隔壁部材と，アドレス電極の延長方向と交差する方向に形成された第２隔壁部材と，を含み，第１隔壁部材と第２隔壁部材は，相互に交差するように一体形成されて，放電セルを区画しており，第１隔壁部材と第２隔壁部材の交差部に，対角方向に相隣接した一対の放電セルを連通する通路溝が，通路として形成されるようにしてもよい。
【００２７】
以上のように，対角方向に隣接した放電セルの間を連通する排気通路を形成することによって，プラズマディスプレイパネルの封着・排気工程時に，該パネル内部の排気を円滑にすることができ，この結果，該パネル内部の残留不純ガスを最少化して，画像品質を改善できる。
【００２８】
さらに，この排気通路及び放電セルからなる排気経路をジグザグ型に設計することによって，パネルの有効画面内で位置別に排気効率の差が出ないようにすることができるので，パネル放電特性の均一度を維持することができる。
【発明の効果】
【００２９】
以上説明したように本発明によれば，プラズマディスプレイパネルの排気工程時に，該パネル内部に不純ガスが部分的に残留することを防止して，該パネル全体を均一かつ円滑に排気することができる。
【発明を実施するための最良の形態】
【００３０】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００３１】
（第１の実施形態）
まず，本発明の第１の実施形態にかかるプラズマディスプレイパネル（ＰＤＰ）について説明する。図１は，本実施形態にかかるＰＤＰを部分的に示した平面図である。
【００３２】
図１に示すように，本実施形態にかかるＰＤＰは，基本的に，第１基板（図示せず。）と第２基板（図示せず。）が所定の間隔をおいて互いに対向配置されている。両基板の間の空間には，プラズマ放電を起こせるように複数の放電セル２３が隔壁１７によって形成される。第１基板の第２基板対向面上には，この第１の基板の一方向（図面のｘ軸方向）に沿って複数の表示電極群が形成され，上記第２基板の第１基板対向面上には，上記表示電極群と交差（例えば直交）する方向（図面のｙ軸方向）に沿って，複数のアドレス電極２１が形成される。図示されたアドレス電極２１は，図面の簡略化のために単一線で表示されているが，実際には所定の幅を有するように形成されており，以下の図面でも同様である。
【００３３】
上記表示電極群と上記アドレス電極２１との相互作用により，発光させる放電セルを選択し，選択された放電セルが，画像を表示できるように維持放電を起こす。このような表示電極群の一例として，図１に示したように各放電セル２３に対応して一対が配置される表示電極１２を形成することができる。表示電極１２は，アドレス電極２１を横切る方向に伸びるように形成され，各々はバス電極と透明電極との組み合わせで構成できる。この時，透明電極は，開口率確保のためにＩＴＯ（インジウムスズ酸化物）などの透明電極材料で形成され，バス電極は，上記透明電極の高い抵抗を補償して通電性を確保するために金属電極で形成することが好ましい。しかし，上記表示電極１２は金属電極でのみ形成しても良く，本発明は上記構造に限定されない。
【００３４】
上記隔壁１７によって，個々の放電セル２３が形成される。放電セルの幅方向（図面のｘ軸方向）に隣接して配列された複数の放電セル２３（以下，「放電セル行」という）が，放電セルの長さ方向（図面のｙ軸方向）に複数行配列されて，平面上のディスプレイ画面が構成される。このような放電セル２３は各々が副画素を構成する。ＰＤＰにおける赤（Ｒ），緑（Ｇ），青（Ｂ）色の副画素は，互いに隣接して配置されて一つの画素を構成するが，本実施形態では，一つの画素を構成する赤（Ｒ），緑（Ｇ），青（Ｂ）色の副画素は，単一の放電セル行で放電セル幅方向に隣接して配列される。
【００３５】
本実施形態にかかるＰＤＰでは，一側対角方向（斜め方向）に相隣接した放電セル２３間に，排気通路１８が形成される。ここで，「一側対角方向」とは，複数の放電セル２３を縦横（ｘｙ方向）に配列したときに，斜めに隣接する放電セル２３の配列方向である２つの斜め方向のうちの一方向である。
【００３６】
具体的には，本実施形態にかかる放電セル２３の平面形状は，例えば，縦長の六角形状である。このような縦長六角形の各放電セル２３は，縦横に，即ち，行方向（ｘ方向）及び列方向（ｙ方向）に，規則正しく配列されている。このような各放電セル２３は，ｘ方向の一側（右側又は左側）の上部及び下部の斜辺をなす隔壁１７部分に，斜め方向に隣接する他の放電セル２３と連通する排気通路１８が形成されている。つまり，１つの放電セル２３には，そのｙ方向の両端部（上部及び下部）において，ｘ方向のいずれか一側（右側又は左側）に排気通路１８がそれぞれ形成されている。
【００３７】
このような排気通路１８は，上記放電セル２３と共に排気経路Ｃ１を形成し，パネル製造工程中の封着排気過程において，パネル内部の不純ガスを除去するために利用される。特に，排気経路Ｃ１は，所定の基準直線（ある放電セル列の中心線）から，予め設定されたピッチ（１副画素ピッチＰｓ）だけ離脱して復帰することを繰り返すようなジグザグ型のラインで，上記アドレス電極２１の延長方向（ｙ方向）に連結されている。つまり，排気経路Ｃ１は，上記放電セル２３と排気通路１８を通過して，ジグザグ型に連通されている。なお，排気通路１８が形成される対角方向と交差する他の対角方向に相隣接する放電セル２３は，相互に連通しておらず，遮断されている。
【００３８】
隔壁１７は，アドレス電極２１と平行に延びる第１隔壁部材１７ａと，アドレス電極２１と交差するように形成される第２隔壁部材１７ｂとからなる。第２隔壁部材１７ｂは，第１隔壁部材１７ａと連結されて各々の放電セル２３を独立的に区画する。排気通路１８は，この第２隔壁部材１７ｂ上に溝形状で形成することができる。本実施形態にかかる第２隔壁部材１７ｂは，アドレス電極２１延長方向に相隣接した放電セル２３の間で，Ｘ字形状に形成されて，各放電セル２３を区画しているとともに，対角方向（斜め方向）に相隣接する放電セル２３の間に，非放電領域２５を形成している。上記排気通路１８は，非放電領域２５を通るように形成される。
【００３９】
本実施形態にかかるＰＤＰにおいて，排気経路Ｃ１は１副画素ピッチＰｓだけ離脱して復帰することを繰り返すように排気通路１８が形成される。この「１副画素ピッチＰｓ」は，放電維持電極１２方向に隣接した一対の放電セル２３の中心間の距離であると定義することができる。
【００４０】
上記排気通路１８と放電セル２３を通る排気経路Ｃ１がジグザグ形状を有するように設計することによって，パネルの有効画面内で排気効率が，位置によって差が出ないようにすることができ，その結果，パネル放電特性の均一度を維持することができる。
【００４１】
さらに，隔壁１７をサンドブラスティング工程で製作する場合，まず，隔壁材料で基板全体に隔壁層を形成し，その上に形成される隔壁のパターンを有する保護膜でラミネータを密着させてサンドブラスティングを行う。この際，本実施形態による場合には，保護膜として使用されるラミネータの連結形態もまた，周辺と中央の位置別に差がなく均等に配置される。従って，サンドブラスティング工程で周辺部の保護膜が消失される問題も防止することができる。
【００４２】
図２は，本実施形態にかかるＰＤＰの変形例を部分的に示した平面図である。本変形例は，基本的には，上記図１の実施形態にかかるＰＤＰと類似な放電セル構造を有するので，これについての詳細な説明は省略する。
【００４３】
図２に示すように，本変形例にかかる排気経路Ｃ２は，ある放電セル列の中心線から，２つの副画素ピッチ（２×Ｐｓ）だけ離脱して復帰することを繰り返すように，排気通路１８が形成される。
【００４４】
さらに，本発明の他の変更例として，ある放電セル列の中心線から，副画素ピッチＰｓの倍数（３，４，５，…×Ｐｓ）だけ離脱させて復帰することを繰り返すようにして，上記排気経路Ｃを形成することも可能である。
【００４５】
（第２の実施形態）
図３は，本発明の第２の実施形態にかかるＰＤＰを部分的に示した平面図である。
【００４６】
図３に示すように本実施形態にかかるＰＤＰにおいて，隔壁２７によって形成される放電セル３３は各々の平面形状が六角形をなすように形成される。このような放電セル３３は各々が副画素を構成し，一つの画素を構成する赤（Ｒ），緑（Ｇ），青（Ｂ）色の各副画素は，三角形状をなすように配置される。
【００４７】
本実施形態にかかるＰＤＰでも，一側対角方向に相隣接した放電セル３３間に，排気通路２８が形成される。この排気通路２８は，上記放電セル３３と共に排気経路Ｃ３を構成し，パネル製造工程中の封着排気過程でパネル内部の不純ガスを除去するために利用される。
【００４８】
特に，排気経路Ｃ３は，ｙ方向に並ぶ放電セル列の中心線から，予め設定されたピッチだけ離脱して復帰することを繰り返しながら，上記アドレス電極２１の延長方向に連結され，上記放電セル３３と排気通路２８を通過してジグザグ型に連結される。なお，排気通路２８が形成される対角方向と交差する他の対角方向に相隣接する放電セル３３は，相互に連通しておらず，遮断されている。
【００４９】
本実施形態にかかるＰＤＰにおいて，排気経路Ｃ３は，ある放電セル列の中心線から，副画素ピッチＰｓの２分の１（Ｐｓ／２）だけ離脱して復帰することを繰り返すようなジグザグ型で，排気通路２８が形成される。この時，副画素ピッチＰｓは，アドレス電極２１と直交する方向に隣接した一対の放電セル３３の中心間の距離と定義することができる。さらに，他の変形例では，排気経路Ｃ３が，副画素ピッチＰｓの２分の１の倍数（２，３，４，…×Ｐｓ／２）だけ離脱して復帰することを繰り返すように排気通路２８を形成することも可能である。
【００５０】
（第３の実施形態）
図４は，本発明の第３の実施形態にかかるＰＤＰを部分的に示した平面図である。
【００５１】
図４に示すように，本実施形態にかかるＰＤＰでは，対角方向に相隣接した放電セル４３間に通路３８が形成される。図４に示すように，上記放電セル４３は，一側対角方向（第１対角方向）に隣接した放電セルと通路３８で連結されており，上記通路３８が形成される対角方向と交差する他の対角方向（第２対角方向）に隣接した放電セル４３とは，連通しておらず，相互に遮断されている。例えば，各放電セル４３は，その右上角と左下角に形成された２つの通路３８を介して，対角方向（斜め方向）に隣接する他の２つの放電セル４３と，連通されている。
【００５２】
放電セルを区画する隔壁３７は，アドレス電極２１の延長方向（図面のｘ軸方向）に平行に形成される第１隔壁部材３７ａと，上記アドレス電極２１の延長方向と交差する方向（図面のｙ軸方向）に形成される第２隔壁部材３７ｂと，対角方向（斜め方向）に上記通路３８を形成する通路隔壁部材３７ｃと，から構成される。
【００５３】
この時，ある一つの放電セル４３の第１隔壁部材３７ａは，対角方向に隣接して連通する他の放電セル４３の第２隔壁部材３７ｂと，上記通路隔壁部材３７ｃを介して互いに連結されて一体に形成される。したがって，パネルを全体的に見た時，隔壁３７は，長辺部と短辺部を有する略矩形状のパネルの対角方向に沿って蛇行して連結されており，そして，この隔壁３７が，所定間隔で隣接して複数個形成されることによって，各々の放電セル３７が区画される。
【００５４】
図５に示すように，通路隔壁部材３７ｃは，放電セル４３を構成する第１隔壁部材３７ａとほぼ同一の高さまで形成され，通路３８は，上記通路隔壁部材３７ｃの高さより小さい深さまで形成される。このような通路３８の深さは，隔壁製造工程時の設計及び工程条件によって適宜設計変更されることがあり，最大で，放電セル４３の最大深さまで形成することもできる。ここで，通路３８または放電セル４３の深さは，これらを構成する隔壁部材の上端と底部との距離と定義することができる。
【００５５】
図４及び図５で説明していない図面符号１１，１３は，表示電極であり，１１ａ，１３ａは透明電極，１１ｂ，１３ｂはバス電極を示す。そして，１０，２０は各々第１基板と第２基板であり，１５，２３は誘電層，２９は蛍光体層である。
【００５６】
（第４の実施形態）
図６は，本発明の第４の実施形態にかかるＰＤＰを部分的に示した平面図である。
【００５７】
図６に示すように，本実施形態にかかるＰＤＰでは，放電セル５３は，略矩形の平面形状を有している。この放電セル５３を区画する隔壁４７は，アドレス電極２１の延長方向（図面のｘ軸方向）に平行に形成される縦隔壁部材（第１隔壁部材）４７ａと，上記アドレス電極２１の延長方向と交差する方向（図面のｙ軸方向）に形成される横隔壁部材（第２隔壁部材）４７ｂと，から構成される。この縦隔壁部材４７ａと横隔壁部材４７ｂとが相互に連結されて一体に形成されて，格子状の隔壁４７が構成される。
【００５８】
この時，対角方向に隣接した放電セル５３は，通路４８を介して互いに連通される。このような通路４８は，上記縦隔壁部材４７ａと横隔壁部材４７ｂの交差部分に形成された溝である通路溝からなる。上記通路溝は，隔壁部材の上端面に，斜め方向の溝形態で形成され，互いに連通させようとする一対の放電セル４７に連通される。
【００５９】
上記実施形態にかかるプラズマディスプレイパネルによれば，一側対角方向に隣接した放電セルの間に排気通路を形成することによって，この排気通路及び放電セルをアドレス電極方向に連結した排気経路を構成できる。これにより，パネルの封着・排気工程時に，上記排気経路を介して，パネル内部のガスを円滑に排気することができるので，パネル内部に残留する不純ガスを最少化できる。従って，パネル内部に不純ガスが残存していないので，放電ガス注入後のＰＤＰ駆動時の不良放電を防止して，画像品質を改善できる効果がある。
【００６０】
また，上記のような排気通路と放電セルを通る排気経路をジグザグ形状に設計することによって，パネルの有効画面内で位置別に排気効率の差が出ないように，均一に排気することができる。従って，パネル放電特性の均一度を維持することができる。
【００６１】
さらに，サンドブラスティング工程で保護膜として使用されるラミネータの連結形態も，周辺と中央の位置別に差がなく均等に配置されるので，サンドブラスティング工程において保護膜が消失するという問題も解決することができる。
【００６２】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【図面の簡単な説明】
【００６３】
【図１】本発明の第１の実施形態にかかるＰＤＰを部分的に示した平面図である。
【図２】同実施形態にかかるＰＤＰの変形例を部分的に示した平面図である。
【図３】本発明の第２の実施形態にかかるＰＤＰを部分的に示した平面図である。
【図４】本発明の第３の実施形態にかかるＰＤＰを部分的に示した平面図である。
【図５】図４のＶ−Ｖ線に沿って切断した断面図である。
【図６】本発明の第４の実施形態にかかるＰＤＰを部分的に示した平面図である。
【図７】従来の一般的な閉鎖型隔壁構造を有するＡＣ−ＰＤＰを示した部分分解斜視図である。
【符号の説明】
【００６４】
１２  表示電極
１７，３７，４７  隔壁
１７ａ，３７ａ  第１隔壁部材
１７ｂ，３７ｂ  第２隔壁部材
１８，２８，３８  排気通路
２１  アドレス電極
２３，３３，４３，５３  放電セル
２５  非放電領域
３７ｃ  通路隔壁部材
３８  通路
４７ａ  縦隔壁部材
４７ｂ  横隔壁部材
Ｃ１，Ｃ２，Ｃ３  排気経路
Ｐｓ  副画素ピッチ
【図１】
2005347257.tif 000003
【図２】
2005347257.tif 000004
【図３】
2005347257.tif 000005
【図４】
2005347257.tif 000006
【図５】
2005347257.tif 000007
【図６】
2005347257.tif 000008
【図７】
2005347257.tif 000009